(57)【要約】【課題】チキソトロピー性を有する延焼防止薬剤を用いる延焼防止薬剤タンクにおいて、延焼防止薬剤をタンク内の気泡や延焼防止薬剤の上面傾斜を解消し、延焼防止薬剤タンク使用時に延焼防止薬剤を残留し難くする。【解決手段】延焼防止薬剤タンクに貯蔵する延焼防止薬剤を着色するとともに、タンク部に透明部を設けて延焼防止薬剤を目視できるようにする。【選択図】  図１
2017221445.tif 000002
【特許請求の範囲】
【請求項１】
タンク部と、
前記タンク部の内部に貯蔵されたチキソトロピー性を有する延焼防止薬剤と、
前記延焼防止薬剤を放出する放出部と、
前記タンク部の内部に上下方向に延在し、前記タンク部の内部に貯蔵されている前記延焼防止薬剤を前記放出部に誘導する誘導部と、
ガスにより前記誘導部を介して前記延焼防止薬剤を前記放出部から放出させる圧力をもたらす圧力手段と、を備えた延焼防止薬剤タンクにおいて、
前記タンク部は一部または全てに透明部を有し、前記延焼防止薬剤を目視できるものであることを特徴とする延焼防止薬剤タンク。
【請求項２】
前記延焼防止薬剤は着色されており、
前記着色は、Ｌａｂ表色系で明度Ｌが３０以下の暗色であることを特徴とする請求項１に記載の延焼防止薬剤タンク。
【請求項３】
前記透明部には、目盛りが付されていることを特徴とする請求項１または２に記載の延焼防止薬剤タンク。
【発明の詳細な説明】
【技術分野】
【０００１】
本発明は、火災が発生した際に火災部周辺に延焼を防止する延焼防止薬剤を散布したり、火災部に散布したりして消火する、延焼防止薬剤を備えた延焼防止薬剤タンクに関するものである。延焼防止薬剤は、火災部周辺に散布して可燃材に塗布することにより延焼を防止する機能を有するとともに、火災部に散布することにより消火する機能を有するものである。
【背景技術】
【０００２】
特開２０１４−１４４０１号公報（特許文献１）には、チキソトロピー性を有する延焼防止薬剤をスプリンクラヘッドから放出する消火設備が記載されている。延焼防止薬剤は消火用水と比べて流動性が低く火災部近傍に留まりやすいため、このような設置型の消火設備だけでなく、容量が限られている可搬型のタンクに詰めて消火器のように用いることが考えられる。例えば、消火器として使用した場合、チキソトロピー性を有する延焼防止薬剤であれば、放出後に高粘度となって放出した箇所に滞留することから、火源に対して放出したときに少ない水量で消火できるので、放出した延焼防止薬剤が水損を発生しにくいという利点がある。また、可燃物に対して、延焼防止を目的として可燃物とその周囲に放出した場合であっても、延焼防止薬剤が可燃物表面とその周囲で留まるので、延焼防止薬剤を大量にかけ続ける必要がないという利点がある。
【先行技術文献】
【特許文献】
【０００３】
【特許文献１】特開２０１４−１４４０１号公報
【発明の概要】
【発明が解決しようとする課題】
【０００４】
チキソトロピー性を有する延焼防止薬剤は、タンクの中に溜められている状態では高粘度である。そのため延焼防止薬剤をタンクに詰めた際に延焼防止薬剤の中に空気等のガスが入ると、気泡として留まってしまう。そして、使用時に加圧された延焼防止薬剤を放出すると、ガスが先に抜けてしまうため所定の圧力が得られず、放出が止まった時に延焼防止薬剤がタンクの中に残留してしまう。また、タンク中の延焼防止薬剤が偏っていても、延焼防止薬剤が残っている状態でガスが抜けてしまう。
【０００５】
本発明は、チキソトロピー性を有する延焼防止薬剤がタンク内で正しい位置であるか確認することができ、タンク使用時に残留し難くすることを課題とする。
【課題を解決するための手段】
【０００６】
本発明は、上述した課題を解決するためのものであり、以下の構成を有する。
【０００７】
（１）本発明は、タンク部と、前記タンク部の内部に貯蔵されたチキソトロピー性を有する延焼防止薬剤と、前記延焼防止薬剤を放出する放出部と、前記タンク部の内部に上下方向に延在し、前記タンク部の内部に貯蔵されている前記延焼防止薬剤を前記放出部に誘導する誘導部と、ガスにより前記誘導部を介して前記延焼防止薬剤を前記放出部から放出させる圧力をもたらす圧力手段と、を備えた延焼防止薬剤タンクにおいて、前記タンク部は一部または全てに透明部を有し、前記延焼防止薬剤を目視できるものであることを特徴とする延焼防止薬剤タンクである。
【０００８】
本発明によって、タンクの内部における延焼防止薬剤の様子を目視することができ、延焼防止薬剤タンクを設置する際に内部に気泡や偏りがある場合には振動を加えるなどして、延焼防止薬剤を正しい位置にすることができる。
【０００９】
（２）また、本発明は、前記延焼防止薬剤は着色されており、前記着色は、Ｌａｂ表色系で明度Ｌが３０以下の暗色であることを特徴とする（１）に記載の延焼防止薬剤タンクである。
【００１０】
本発明によって、タンクの内部における延焼防止薬剤の位置が判りやすくなる。また、近年では建築物の表面は明色であることが多いため、使用時に延焼防止薬剤が塗布されている場所と塗布されていない場所を容易に認知することができる。
【００１１】
（３）また、本発明は、前記透明部には、目盛りが付されていることを特徴とする（１）または（２）に記載の延焼防止薬剤タンクである。
【００１２】
本発明によって、延焼防止薬剤の残量を確認しながら延焼防止、消火作業を行うことができ、延焼防止と消火のどちらを優先させるかなどの判断材料とすることができる。
【発明の効果】
【００１３】
本発明によれば、延焼防止薬剤を散布している途中にタンク中の気体が放出されることにより圧力が低下して延焼防止薬剤が使用できなくなるという事態を避けることができる。
【図面の簡単な説明】
【００１４】
【図１】本発明の実施形態である延焼防止薬剤タンク１を示す図。
【図２】火災部２１の周辺に延焼防止薬剤９を塗布している状況を示す図。
【図３】扉３１の周囲に延焼防止薬剤９を塗布している状況を示す図。
【発明を実施するための形態】
【００１５】
以下、本発明の実施の形態を、図面に基づいて説明する。ただし、以下で説明する本実施形態は、あらゆる点において本発明の例示に過ぎない。本発明の範囲を逸脱することなく種々の改良や変形が行われてもよい。つまり、本発明の実施にあたって、実施形態に応じた具体的構成が適宜採用されてもよい。
【００１６】
図１は、本発明の実施形態である延焼防止薬剤タンク１を示す。
延焼防止薬剤タンク１は、タンク部２、蓋３、誘導管４、注入管５、放出弁部６、放出部７から構成され、タンク部２の表面には目盛り８が付されている。
【００１７】
タンク部２は、アクリルやポリカーボネイト等の強度の高い樹脂を材質とし、透明である。タンク部２の上部は蓋３により閉じられ、蓋３には誘導部である誘導管４と注入管５が貫通している。誘導管４の上部は放出弁を内蔵した放出弁部６を介して放出部７に接続されている。誘導管４は、タンク部２の内部に上下方向に延在し、延焼防止薬剤タンク１の使用時に延焼防止薬剤９を前記放出部７に誘導する。注入管５の内部には逆止弁（図示せず）が設けられている。
【００１８】
そして、タンク部２の内部には延焼防止薬剤９が貯蔵されている。延焼防止薬剤９は、コロイド性含水ケイ酸塩を含む鉱物（スメクタイト、ベントナイト及びモンモリロナイト等）やケイ酸塩からなる合成無機高分子化合物等を粉末状態とし、水と所定の割合で混合した混合物であり、チキソトロピー性を有している。延焼防止薬剤９における合成無機高分子化合物の混合割合は、例えば、０．１〜２０％である。
【００１９】
また、延焼防止薬剤９は各種顔料（例えば、遮光性顔料である酸化第二鉄、カーボンブラック等）によって暗色に着色されており、タンク部２の外から気泡１１や延焼防止薬剤９の上面１２を視認しやすい。また、近年では建築物の表面は明色であることが多いため、使用時に延焼防止薬剤９が塗布されている場所と塗布されていない場所を容易に認知することができる。上記の観点から、この暗色はＬａｂ表色系で明度Ｌが３０以下であり、タンク部２の外部から気泡１１等を視認できる濃さであることが望ましい。延焼防止薬剤９の上方には上部空間１０が設けられ、圧縮ガスが充填されて圧力手段となっている。
【００２０】
延焼防止薬剤タンク１には次のようにして延焼防止薬剤９が充填される。
まず、タンク部２の上部から延焼防止薬剤９を投入する。次に、誘導管４と注入管５が固定された蓋３によりタンク部２の上部を封止する。そして、注入管５から圧縮ガスを延焼防止薬剤タンク１の内部に送り込んで加圧状態とする。注入管５には逆止弁が設けられているため加圧状態が保たれるが、定期点検時に圧力を検査するとともに不足した圧縮ガスを充填することが望ましい。
【００２１】
なお、延焼防止薬剤９は投入される時点では流動性を有するが、タンク部２内に投入された直後に粘度を増す場合があり、これにより充填時に延焼防止薬剤９の上面１２が水平面にならなかったり、気泡１１が生じたりすることがある。
【００２２】
火災が発生した際には、放出弁部６の放出弁を開くことにより、上部空間１０に溜められた圧縮ガスが延焼防止薬剤９を誘導管４の内部へ押し出す。これにより剪断応力が加わって延焼防止薬剤９が流動化し、放出部７から放出される。
【００２３】
しかしながら、図１に示すように延焼防止薬剤９の内部に気泡１１がある状態で放出弁部６の放出弁を開くと、気泡１１内部の圧縮ガスが早い段階で放出されてしまい、延焼防止薬剤タンク１の内部圧力が著しく低下する。また、圧縮ガス放出の前後に延焼防止薬剤９の放出圧力が変化して、散布方向が定まらなくなる。
【００２４】
また、延焼防止薬剤９の上面１２が図１のように傾いていると、延焼防止薬剤９が全て放出される前に圧縮ガスが放出されてしまう可能性があり、延焼防止薬剤９を残らず利用することが困難となる。
【００２５】
本発明では、上記の延焼防止薬剤９を充填する際や定期点検時に透明なタンク部２を介して延焼防止薬剤９の充填状態を目視し、気泡１１や上面１２の傾きがあるか確認することができる。気泡１１や傾きがある場合には延焼防止薬剤タンク１の底部１３を床に軽く打ち付けるなどして振動を与え、気泡１１を上方に移動させて消滅させるとともに延焼防止薬剤９の上面１２の形状を整える。
【００２６】
タンク部２は、図１に示すように全てを透明部としてもよいが、一部を透明部としてもよい。また、放出部７は柔軟性のあるホースの先端に放出口を設けてもよい。また、本実施形態では、延焼防止薬剤タンク１に圧縮ガスを封入しているが、延焼防止薬剤９を加圧するガスを得られればよく、ガス発生器や圧縮ガスを封入したタンクを用いてもよい。
【００２７】
図２は、火災部２１の周辺に延焼防止薬剤９を塗布している状況を示す。図２は塗布の途上を示しており、火災部２１は延焼防止薬剤タンク１から放出された延焼防止薬剤９の塗布部２２により囲まれつつある。
【００２８】
延焼防止薬剤タンク１の使用者は、図２に示すように、まず火災部２１の周囲全体や延焼が想定される場所に延焼防止薬剤９を塗布する。これにより、延焼防止薬剤９の塗布部２２には火災部２１が広がり難くなる。そして、その後に火災部２１に直接的に延焼防止薬剤９を散布して消火を行う。本実施形態では、透明部を有したタンク部２に残り時間を示す目盛り８があるため、使用者は、火災部２１周囲への延焼防止薬剤９塗布と火災部２１への直接的散布の時間配分を考慮して延焼防止薬剤９を散布することができる。
【００２９】
図３は、扉３１の周囲に延焼防止薬剤９を塗布している状況を示す。扉３１外周の隙間から煙３２と炎３３が室内に侵入しているが、延焼防止薬剤タンク１から放出した塗布部３４は煙３２と炎３３の侵入を防止する。
【００３０】
延焼防止薬剤９はチキソトロピー性によって塗布した後にその場に留まるため、隙間の防火防煙等に用いることができる。火災による人的被害は煙によるものが大きいが、煙が到達しないように扉を閉めても、扉周囲から室内に煙が侵入する。図３は塗布の途上であるが、扉３１の外周の隙間全体に延焼防止薬剤９を塗布して隙間を埋めることにより、煙３２の侵入を防ぐことができる。また、図３のように隙間から炎３３が侵入して延焼することがあるが、延焼防止薬剤９の作用によって煙３２だけでなく侵入する炎３３による延焼も防止することができる。
【００３１】
なお、図３では、扉３１の隙間を埋めるように延焼防止薬剤９を塗布したが、隙間を埋めた後に扉３１の表面へ延焼防止薬剤９を塗布することにより、扉３１の耐火性能を向上させることが可能となる。
【符号の説明】
【００３２】
１  延焼防止薬剤タンク、２  タンク部、３  蓋、４  誘導管、５  注入管、６  放出弁部、７  放出部、８  目盛り、９  延焼防止薬剤、１０  上部空間、１１  気泡、１２  上面、１３  底部、２１  火災部、２２  塗布部、３１  扉、３２  煙、３３  炎、３４  塗布部
【図１】
2017221445.tif 000003
【図２】
2017221445.tif 000004
【図３】
2017221445.tif 000005